(57)【要約】【課題】閉じられたネットワーク環境下で稼働する監視制御システムの情報を外部から閲覧することができる監視制御システムを提供する。【解決手段】複数の遠方監視制御装置を統括する電力指令システムに設けられた情報系サーバ１００および作業処理装置２０２とイーサネットによって接続され、アクセスポイント５００とのＷｉ−Ｆｉ通信によってスマートデバイス４００と接続されたゲートウェイ装置３００を備え、前記ゲートウェイ装置３００は、前記情報系サーバ１００が保有する情報系データおよび前記作業処理装置２０２が保有する制御データを取得して一元管理するデータ収集機能３０４と、前記データ収集機能３０４が収集した各データに基づいて、前記スマートデバイス４００に表示するための情報を構築するコンテンツ管理機能３０５と、を有している。【選択図】図２
2015095884.tif 000002
【特許請求の範囲】
【請求項１】
遠方監視制御装置との間で情報の授受を行って監視制御を行う監視制御システムにおいて、
複数の遠方監視制御装置を統括する電力指令システムに設けられた情報系サーバおよび作業処理装置と第１のネットワークによって接続され、第２のネットワークによって携帯型汎用情報端末と接続されたゲートウェイ装置を備え、
前記ゲートウェイ装置は、前記情報系サーバが保有する情報系データおよび前記作業処理装置が保有する制御データを取得して一元管理するデータ収集手段と、
前記データ収集手段が収集した各データに基づいて、前記携帯型汎用情報端末に表示するための情報を構築するコンテンツ管理手段と、を有していることを特徴とする監視制御システム。
【請求項２】
前記コンテンツ管理手段は、前記ゲートウェイ装置内に管理されているデータに対してテキスト全文検索を実施するための画面を表示する情報を構築することを特徴とする請求項１に記載の監視制御システム。
【請求項３】
前記コンテンツ管理手段は、監視制御システムの制御卓で表示される表示用き配電系統図に相当する画面を表示する情報を構築することを特徴とする請求項１又は２に記載の監視制御システム。
【請求項４】
前記コンテンツ管理手段は、情報支援モニタに表示される事故復旧支援の一覧および処置票の画面を表示する情報を構築することを特徴とする請求項１ないし３のいずれか１項に記載の監視制御システム。
【請求項５】
前記コンテンツ管理手段は、系列運転の状態と異常状態および故障記録を示す画面を表示する情報を構築することを特徴とする請求項１ないし４のいずれか１項に記載の監視制御システム。
【発明の詳細な説明】
【技術分野】
【０００１】
本発明は、遠方監視制御装置の状態を監視し制御を行う監視制御システムに関する．
【背景技術】
【０００２】
従来、電鉄用の監視制御システムとして、例えば非特許文献１に記載のシステムが存在する。非特許文献１には、電鉄用変電所の監視制御と携帯電話を使用した現場作業支援機能に優れた電力指令システムが記載されている。
【先行技術文献】
【非特許文献】
【０００３】
【非特許文献１】「明電電鉄用  電力指令システム」、株式会社明電舎、明電舎カタログ  ＢＡ５１０−２８３０Ｂ、２０１２年９月
【発明の概要】
【発明が解決しようとする課題】
【０００４】
非特許文献１を含む従来の監視制御システムにおける情報は、システムの制御卓のモニタで参照する構成となっていた。監視制御システムにおける情報を外部から閲覧可能に構成するには、ＣＰＵの処理を高速化したり、外部から閲覧できるデータに加工する等の処理が必要である。
【０００５】
すなわち、監視制御システム内部では、リアルタイム性を重視した特殊なデータの実装をしている（すべてオンメモリ）が、これを、外部の情報端末側に専用のソフトウェアを入れることなくブラウザから参照可能とするためのデータ加工が必要であった。
【０００６】
一方、近年、スマートフォンやタブレットなどのスマートデバイスと呼ばれる携帯型汎用情報端末が、一般消費者市場において確固たる地位を築いており、電力指令システムにおいても、スマートデバイスの携帯性やリッチなユーザインタフェースに着目し、これを有効活用するというニーズが高まってきた。
【０００７】
しかし、高い信頼性とリアルタイム性が要求される電力指令システムでは、スマートデバイスの導入には課題が多く、特に監視制御を阻害しないように、例えば監視制御の機能（画面表示や制御）に遅延が発生しないように実装しなければならない。
【０００８】
本発明は、上記課題を解決するものであり、その目的は、閉じられたネットワーク環境下で稼働する監視制御システムの情報を外部から閲覧することができる監視制御システムを提供することにある。
【課題を解決するための手段】
【０００９】
上記課題を解決するための請求項１に記載の監視制御システムは、遠方監視制御装置との間で情報の授受を行って監視制御を行う監視制御システムにおいて、複数の遠方監視制御装置を統括する電力指令システムに設けられた情報系サーバおよび作業処理装置と第１のネットワークによって接続され、第２のネットワークによって携帯型汎用情報端末と接続されたゲートウェイ装置を備え、前記ゲートウェイ装置は、前記情報系サーバが保有する情報系データおよび前記作業処理装置が保有する制御データを取得して一元管理するデータ収集手段と、前記データ収集手段が収集した各データに基づいて、前記携帯型汎用情報端末に表示するための情報を構築するコンテンツ管理手段と、を有していることを特徴としている。
【００１０】
前記データ収集手段は、前記取得したデータを外部から閲覧できるデータに加工して保存する。
【００１１】
上記構成によれば、収集されたデータが一元管理されていることに加え、取得した既存のデータを外部から閲覧できるデータに加工しているので、携帯型汎用情報端末を用いて外部から容易に監視制御システムの情報を閲覧することができる。
【００１２】
また請求項２に記載の監視制御システムは、請求項１において、前記コンテンツ管理手段は、前記ゲートウェイ装置内に管理されているデータに対してテキスト全文検索を実施するための画面を表示する情報を構築することを特徴としている。
【００１３】
上記構成によれば、携帯型汎用情報端末を用いて外部から容易にゲートウェイ装置内に一元管理されているデータのテキスト全文検索を行うことができる。
【００１４】
また請求項３に記載の監視制御システムは、請求項１又は２において、前記コンテンツ管理手段は、監視制御システムの制御卓で表示される表示用き配電系統図に相当する画面を表示する情報を構築することを特徴としている。
【００１５】
上記構成によれば、携帯型汎用情報端末を用いて外部から容易に監視制御システムの表示用き配電系統図に相当する画面を閲覧することができる。
【００１６】
また請求項４に記載の監視制御システムは、請求項１ないし３のいずれか１項において、前記コンテンツ管理手段は、情報支援モニタに表示される事故復旧支援の一覧および処置票の画面を表示する情報を構築することを特徴としている。
【００１７】
上記構成によれば、携帯型汎用情報端末を用いて外部から容易に事故復旧支援の一覧および処置票の画面を閲覧することができる。
【００１８】
また請求項５に記載の監視制御システムは、請求項１ないし４のいずれか１項において、前記コンテンツ管理手段は、系列運転の状態と異常状態および故障記録を示す画面を表示する情報を構築することを特徴としている。
【００１９】
上記構成によれば、携帯型汎用情報端末を用いて外部から容易に系列運転の状態と異常状態および故障記録を示す画面を閲覧することができる。
【発明の効果】
【００２０】
（１）請求項１〜５に記載の発明によれば、ゲートウェイ装置を設けているため、携帯型汎用情報端末から直接監視制御システムの機器やデータにアクセスしないので、既存の電力指令システムの信頼性やリアルタイム性を損なうことなく、一元管理された監視制御システムの情報を携帯型汎用情報端末を用いて外部から容易に閲覧することができる。すなわち、一元管理され、外部から閲覧できるデータに加工されたデータに基づいて携帯型汎用情報端末に表示するための情報を構築しているので、外部から容易に閲覧することができる。
（２）請求項２に記載の発明によれば、外部から容易にゲートウェイ装置内に一元管理されているデータのテキスト全文検索を行うことができる。
（３）請求項３に記載の発明によれば、外部から容易に監視制御システムの表示用き配電系統図に相当する画面を閲覧することができる。
（４）請求項４に記載の発明によれば、外部から容易に事故復旧支援の一覧および処置票の画面を閲覧することができる。
（５）請求項５に記載の発明によれば、外部から容易に系列運転の状態と異常状態および故障記録を示す画面を閲覧することができる。
ることができる。
【図面の簡単な説明】
【００２１】
【図１】本発明の一実施形態例による監視制御システムの全体構成図。
【図２】本発明の一実施形態例による監視制御システムのシステム構成図。
【図３】本発明の一実施形態例による監視制御システムのデータ収集機能関連図。
【図４】本発明の一実施形態例による監視制御システムの機能階層図。
【図５】本発明の一実施形態例による監視制御システムにおける画面遷移の説明図。
【図６】本発明の一実施形態例による監視制御システムにおけるログイン画面の説明図。
【図７】本発明の一実施形態例による監視制御システムにおけるメニュー画面の説明図。
【図８】本発明の一実施形態例による監視制御システムにおける全体系統図の画面の説明図。
【図９】本発明の一実施形態例による監視制御システムにおけるジャーナル解析時の検索条件指定画面の説明図。
【図１０】本発明の一実施形態例による監視制御システムにおけるジャーナル解析画面の説明図。
【図１１】本発明の一実施形態例による監視制御システムにおける事故復旧支援の一覧表示画面の説明図。
【図１２】本発明の一実施形態例による監視制御システムにおける事故復旧支援の処置票画面の説明図。
【図１３】本発明の一実施形態例による監視制御システムにおけるシステム情報表示画面の説明図。
【図１４】本発明の一実施形態例による監視制御システムにおけるスナップショットのフォルダ画面の説明図。
【図１５】本発明の一実施形態例による監視制御システムにおけるスナップショット表示画面の説明図。
【図１６】本発明の一実施形態例による監視制御システムにおける文書管理画面の説明図。
【図１７】本発明の一実施形態例による監視制御システムにおける全文検索時の検索開始画面の説明図。
【図１８】本発明の一実施形態例による監視制御システムにおける全文検索時の検索結果画面の説明図。
【図１９】本発明の一実施形態例による監視制御システムにおけるアラーム登録画面の説明図。
【図２０】本発明の一実施形態例による監視制御システムにおけるユーザ管理画面の説明図。
【発明を実施するための形態】
【００２２】
以下、図面を参照しながら本発明の実施の形態を説明するが、本発明は下記の実施形態例に限定されるものではない。本実施形態例は、本発明を電力指令システムに適用した実施形態であり、図１は全体構成図を、図２はシステム構成図を、図３はデータ収集機能関連図を、図４はゲートウェイ装置の機能階層図を各々示している。
【００２３】
図１において、１００は、複数の遠方監視制御装置（図示省略）との間で情報の授受を行う電力指令システムに設けられた情報系サーバであり、１１０は事故復旧処理装置である。これら情報系サーバ１００および事故復旧処理装置１１０は複数のスイッチングハブ１２１〜１２４を介して接続されている。
【００２４】
２０１、２０２は前記電力指令システムに設けられた作業処理装置である。これら作業処理装置２０１、２０２は複数のスイッチングハブ２２１〜２２４を介して接続されている。
【００２５】
３００は、イーサネット（登録商標）（第１のネットワーク）によって、スマートデバイス４００とのＷｉ−Ｆｉ通信拠点としてのアクセスポイント５００と、前記情報系サーバ１００と、作業処理装置２０２とに各々接続され、後述するデータ収集機能（データ収集手段）およびコンテンツ管理機能（コンテンツ管理手段）を備えたゲートウェイ装置である。
【００２６】
このゲートウェイ装置３００は、ＤＭＺ（ＤｅＭｉｌｉｔａｒｉＺｅｄ  Ｚｏｎｅ；非武装地帯）を構成するファイアウォール６０１、６０２、６０３が各々配置されている。
【００２７】
図１のように、本実施形態例のゲートウェイ装置３００は、情報系サーバ１００、作業処理装置２０２およびアクセスポイント５００とイーサネット（第１のネットワーク）により接続され、アクセスポイント５００とのＷｉ−Ｆｉ通信（第２のネットワーク）によってスマートデバイス４００と接続されている。尚、スマートデバイス４００は本実施例では３台としているがこれに限るものではない。
【００２８】
情報系サーバ１００、作業処理装置２０２およびゲートウェイ装置３００の各々のデータ構成は図２のように構成されている。
【００２９】
図２において、１０１は情報系のファイルデータベース、１０２は情報系データベース（ＲＤＢ）であり、各データベース内のデータは情報系データ取得機能１０３によって取得される。１０４は情報系サーバ１００のｗｅｂサーバである。
【００３０】
２１１は制御系のファイルデータベース、２１２は制御系データベース（ＲＤＢ）であり、各データベース内のデータは制御系データ取得機能２１３によって取得される。２１４は作業処理装置２０２のｗｅｂサーバである。
【００３１】
３０１はゲートウェイ装置３００内のファイルデータベース、３０２はコンテンツ用のデータベース（ＲＤＢ）、３０３は全文検索機能である。３０４は、図４に示す情報系データ管理、情報系データ取得、制御系データ管理、制御系データ取得の各機能を備え、ｗｅｂサーバ１０４、２１４を介して情報系サーバ１００および作業処理装置２０２からの各データを収集して一元管理し、外部から閲覧できるデータに加工して、ファイルデータ３０１、ＲＤＢ３０２に保存する（すなわちオンメモリのデータをＲＤＢ３０２へ格納する）データ収集機能（データ収集手段）である。
【００３２】
３０５は、ファイルデータベース３０１、ＲＤＢ３０２に格納された各データに基づいて、図４に示すログイン、メニュー、全体系統図、ジャーナル解析、事故復旧支援、システム情報、スナップショット、文書管理および全文検索の各画面を、スマートデバイス４００に表示させるための各情報を構築する機能を有したコンテンツ管理機能（コンテンツ管理手段）である。
【００３３】
３０６は、図４に示すログ管理、タスクスケジューリング、時刻同期、死活監視の各機能を行うシステムメンテナンス機能である。
【００３４】
３０７は、アクセスポイント５００と接続されたゲートウェイ装置３００のｗｅｂサーバである。
【００３５】
情報系サーバ１００、作業処理装置２０２およびゲートウェイ装置３００は、各々コンピュータにより構成され、通常のコンピュータのハードウェアリソース、例えばＲＯＭ、ＲＡＭ、ＣＰＵ、入力装置、出力装置、通信インターフェース、ハードディスク、記録媒体およびその駆動装置を備えている。
【００３６】
このハードウェアリソースとソフトウェアリソース（ＯＳ、アプリケーションなど）との協働の結果、情報系サーバ１００はファイルデータベース１０１、ＲＤＢ１０２、情報系データ取得機能１０３およびｗｅｂサーバ１０４を実装し、作業処理装置２０２はファイルデータベース２１１、ＲＤＢ２１２、制御系データ取得機能２１３およびｗｅｂサーバ２１４を実装し、ゲートウェイ装置３００はファイルデータベース３０１、ＲＤＢ３０２、全文検索機能３０３、データ収集機能３０４、コンテンツ管理機能３０５、システムメンテナンス機能３０６およびｗｅｂサーバ３０７を実装する。
【００３７】
前記ファイルデータベース１０１、２１１、３０１、ＲＤＢ１０２、２１２、３０２は各コンピュータ（１００，２０２，３００）のハードディスクあるいはＲＡＭなどの保存手段・記憶手段に構築されているものとする。
【００３８】
図３はゲートウェイ装置３００のデータ収集機能３０４のデータ収集機能関連図であり、図２と同一部分は同一符号をもって示している。図３において、実線の矢印は処理要求とデータの流れを示し、破線の矢印はデータベース、ファイルデータへのアクセスを示している。
【００３９】
本機能は、情報系サーバ１００および作業処理装置２０２のデータベースに格納されている情報および各種ファイルを取得し、ゲートウェイ装置３００に保存する。ＨＴＴＰ通信にてｗｅｂＡＰＩ（ａｐｐｌｉｃａｔｉｏｎ  ｐｒｏｇｒａｍｍｉｎｇ  ｉｎｔｅｒｆａｃｅ）を介して、情報系サーバ１００および作業処理装置２０２の情報を取得し保存する。
【００４０】
本機能では、それぞれのサーバから以下のようにしてゲートウェイ装置３００にデータを収集する。
【００４１】
情報系サーバ１００では、定期的に情報系サーバ１００から全データを取得しゲートウェイ装置３００に内容を保存する。例えば情報系サーバのデータに対して削除は行わない（新規登録、更新処理も行わない）。
【００４２】
作業処理装置２０２では、定期的に作業処理装置２０２から全データを取得しゲートウェイ装置３００に内容を保存する。例えば取得したデータは作業処理装置２０２から削除する（新規登録、更新処理は行わない）。ゲートウェイ装置３００内に蓄積された作業処理装置２０２のデータについては、例えば一定期間経過したデータは削除する。
【００４３】
情報系サーバ１００および作業処理装置２０２で実装するｗｅｂＡＰＩの取得／削除処理については、例えばＡｐａｃｈｅのＩＰ認証によるアクセス制限を設定することで、ゲートウェイ装置３００以外から情報を取得／削除できないようにする。また、コンテンツ管理機能３０５にて更新時刻を判断可能にするため、例えばゲートウェイ装置３００に各種データを取得した時刻をデータベースに保持しておく。
（１）情報系データ管理機能３０４Ｄ
情報系サーバ１００から情報系データ（ＲＤＢ）１０２を取得し、ゲートウェイ装置３００のコンテンツ用のデータベース３０２（ＲＤＢ）に保存する。ファイルデータについても、情報系サーバ１００から取得し、ゲートウェイ装置３００のファイルデータベース３０１に保存する。
（２）情報系データ取得機能１０３
情報系サーバ１００にてデータ（ＲＤＢ）１０２及びファイルデータ１０１を取得し、取得した内容をＲｅｓｐｏｎｓｅとして返す。
（３）制御系データ管理機能３０４Ｃ
作業処理装置２０２から制御系データ（ＲＤＢ）２１２を取得し、ゲートウェイ装置３００のコンテンツ用のデータベース（ＲＤＢ）３０２に保存する。作業処理装置２０２に対して取得したデータの削除要求を出す。ゲートウェイ装置３００のコンテンツ用のデータベース（ＲＤＢ）にある運転統制記録、ジャーナルデータ、システム情報について一定期間経過したデータを削除する。
【００４４】
コンテンツ管理機能３０５は、ゲートウェイ装置３００に収集したスマートデバイス表示用の情報をスマートデバイス４００に表示させるものであるが、コンテンツ管理はゲートウェイ装置３００をｗｅｂサーバとするｗｅｂアプリケーションとして実現する。
【００４５】
次にコンテンツ管理機能３０５が行う各機能を詳細に説明する。  
【００４６】
まず、スマートデバイス４００に表示するための各画面の全体構成を図５に示す。ログイン画面を図６に、メニュー画面を図７に、全体系統図を図８に、ジャーナル解析検索条件指定画面を図９に、ジャーナル解析画面を図１０に、事故復旧支援一覧画面を図１１に、事故復旧支援処置票画面を図１２に、システム情報画面を図１３に、スナップショットフォルダ表示画面を図１４に、スナップショット表示画面を図１５に、文書管理トップ画面を図１６に、全文検索検索条件入力画面を図１７に、全文検索結果画面を図１８に、アラーム登録画面を図１９に、ユーザ管理画面を図２０に各々示す。
【００４７】
（１）ログイン機能
図６に示すように「ユーザＩＤ」入力欄、「パスワード」入力欄、「ログイン」ボタン、「キャンセル」ボタンを表示し、スマートデバイス４００の操作者が「ログイン」ボタンをタップしたときに、入力されたユーザＩＤとパスワードの整合性を確認し、問題がなければメニュー画面に遷移する。
【００４８】
（２）メニュー機能
図７において、
（ａ）メニュー
各機能毎に枠を設け、右下に各画面へ遷移する為の画面切替ボタンを表示し、該当する機能の画面切替ボタンがタップされた場合、各機能の画面へ遷移する。全体系統図の枠には全体系統図を表示する。ジャーナル解析の枠には運転統制記録を例えば最大１０件表示し、事故復旧支援の枠には未処置一覧を例えば最大１０件表示する。システム情報の枠には運転モード（主・従・停止）、現在時刻、主系確立日時を表示する。スナップショットには最新の画像を表示する。
（ｂ）ユーザマニュアル
左上にユーザマニュアル表示ボタンを表示し、ユーザマニュアル表示ボタンがタップされた場合、ユーザマニュアルを表示する。
（ｃ）ユーザ管理
管理者権限を有するユーザがログインした場合のみ、右上の右から２番目にユーザ管理ボタンを表示し、ユーザ管理ボタンがタップされた場合、ユーザ管理画面を表示する。
（ｄ）ログアウト
右上の右から１番目にログアウトボタンを表示し、ログアウトボタンがタップされた場合、ログイン画面を表示する。
（ｅ）メッセージ表示
サーバとの通信が失敗した場合は「サーバと接続できません。」とメッセージを表示する。サーバからの異常を受信した場合は「サーバとの接続が切れました。」とメッセージ表示し、ログイン画面を表示する。
【００４９】
（３）全体系統図機能
図８において、
（ａ）系統図表示
全体系統図の開閉器の状態を取得し、表示する。開閉器の状態を全体系統図に反映して表示し、ゲートウェイ装置３００が情報を取得した日時を表示する。表示した系統図は拡大縮小を可能とする。
（ｂ）更新
右下に更新ボタンを表示し、更新ボタンがタップされた場合、最新の情報を取得し表示する。
（ｃ）メニューに戻る
左上にホームボタンを表示し、ホームボタンをタップすることにより、メニューに戻る。
（ｄ）ログアウト
右上の右から１番目にログアウトボタンを表示し、ログアウトボタンがタップされた場合、ログイン画面を表示する。
（ｅ）メッセージ表示
サーバとの通信が失敗した場合は「サーバと接続できません。」とメッセージを表示する。サーバからの異常を受信した場合は「サーバとの接続が切れました。」とメッセージ表示し、ログイン画面を表示する。
【００５０】
（４）ジャーナル解析機能
図９において、
（ａ）検索条件設定
「検索期間」入力欄、「検索キーワード」入力欄、「対象ポスト選択」画面、「検索開始」ボタン、及び検索可能範囲を表示する。
【００５１】
検索可能範囲に表示された範囲で検索期間（年月日時分）を設定し、年月日はカレンダから選択可能とする。検索期間で設定できる期間は予め設定した値により制限される（例えば２４時間の範囲しか指定できない設定の場合、検索期間の開始と終了の間は２４時間以内に制限される）。
【００５２】
キーワードには運転統制記録に含まれる文字列で絞込みを行いたいキーワードを設定する。
【００５３】
対象ポストでは表示対象のポストをタップして選択する。もう一度タップすると選択解除となる。一括の選択・選択解除は「一括」ボタンをタップして切替可能。
【００５４】
「検索開始」ボタンがタップされた場合、検索期間、キーワード、対象ポストの全ての条件を満たす運転統制記録の情報を表示する。
（ｂ）メニューに戻る
左上にホームボタンを表示し、ホームボタンをタップすることにより、メニューに戻る。
（ｃ）ログアウト
右上の右から１番目にログアウトボタンを表示し、ログアウトボタンがタップされた場合、ログイン画面を表示する。
（ｄ）保存データ呼出
右上の右から２番目にデータ呼出ボタンを表示し、データ呼出ボタンがタップされた場合、保存データ名の一覧を表示し、選択した保存データを表示する。
（ｅ）メッセージ表示
対象ポストが何も選択されていない場合は、「対象ポストを選択してください。」とメッセージ表示する。
【００５５】
サーバとの通信が失敗した場合は「サーバと接続できません。」とメッセージを表示する。サーバからの異常を受信した場合は「サーバとの接続が切れました。」とメッセージ表示し、ログイン画面を表示する。
【００５６】
図１０において、
（ｆ）一覧表示
運転統制記録とジャーナルの一覧をそれぞれ表示する。複数行に渡るジャーナル情報は１行目のみ表示し、右の展開ボタン（＞）をタップすることにより２行目以降の情報を表示する。
（ｇ）保存
右上の右から２番目に保存ボタンを表示し、保存ボタンがタップされた場合、運転統制記録とジャーナルの情報を名前を付けてゲートウェイ装置３００のデータベースに保存する。保存した情報は全ユーザ共通とする。
（ｈ）検索条件設定
左上の左から２番目に検索条件設定ボタンを表示し、検索条件設定ボタンがタップされた場合、検索条件設定画面を表示する。
（ｉ）メニューに戻る
左上の左から１番目にホームボタンを表示し、ホームボタンをタップすることにより、メニューに戻る。
（ｊ）ログアウト
右上の右から１番目にログアウトボタンを表示し、ログアウトボタンがタップされた場合、ログイン画面を表示する。
（ｋ）メッセージ表示
サーバとの通信が失敗した場合は「サーバと接続できません。」とメッセージを表示する。サーバからの異常を受信した場合は「サーバとの接続が切れました。」とメッセージ表示し、ログイン画面を表示する。
【００５７】
（５）事故復旧支援機能
図１１において、
（ａ）事故一覧表示
事故データとして登録されている未処置一覧と事故例一覧を表示し、事故データが選択されることで該当する処置票を表示する。
【００５８】
図１２において、
（ｂ）処置票表示
情報支援モニタに表示される事故復旧支援の一覧および処置票と同じ内容を表示する。尚、「系統図」と「規定票」は排他表示とする。処置票に系統図や規定票が割り付けられていない場合はボタンを非表示にする。
【００５９】
「関連処置票一覧」には関連付けされた処置票の一覧を表示し、「関連処置票一覧」から処置票を選択して、該当処置票を同様の項目で表示する。尚、「処置票表示」、「連絡先表示」、「協力会社連絡先表示」は排他表示とする。
（ｃ）連絡先表示
事故時の「連絡先」を一覧表示し、「連絡先」を選択することで、関連する「職員連絡先」を一覧表示する。
（ｄ）協力会社連絡先表示
事故時の「協力会社連絡先」を一覧表示し、「協力会社連絡先」を選択することで、関連する「協力会社職員連絡先」を一覧表示する。
（ｅ）一覧へ戻る
左上の左から２番目に一覧へ戻るボタンを表示し、一覧へ戻るボタンがタップされた場合、未処置一覧と事故例一覧を表示する。
（ｆ）メニューに戻る
左上の左から１番目にホームボタンを表示し、ホームボタンをタップすることにより、メニューに戻る。
（ｇ）ログアウト
右上にログアウトボタンを表示し、ログアウトボタンがタップされた場合、ログイン画面を表示する。
（ｈ）メッセージ表示
サーバとの通信が失敗した場合は「サーバと接続できません。」とメッセージを表示する。サーバからの異常を受信した場合は「サーバとの接続が切れました。」とメッセージ表示し、ログイン画面を表示する。
（６）システム情報機能
図１３において、
（ａ）システム情報表示
・系列運転の状態（主系、従系、停止系）を表示する。  
【００６０】
・主系運転モード確定時刻、現在時刻を表示する。  
【００６１】
・異常状態および故障記録（時系列順）を例えば最新１００件表示する。
（ｂ）更新
右下に更新ボタンを表示し、更新ボタンがタップされた場合、最新の情報を取得し、表示する。
（ｃ）システム異常記録検索
「検索キーワード」入力欄を表示し、「検索キーワード」に指定されたキーワードで装置を絞り込み、異常記録を表示する。
（ｄ）メニューに戻る
左上にホームボタンを表示し、ホームボタンをタップすることにより、メニューに戻る。
（ｅ）ログアウト
右上にログアウトボタンを表示し、ログアウトボタンがタップされた場合、ログイン画面を表示する。
（ｆ）メッセージ表示
サーバとの通信が失敗した場合は「サーバと接続できません。」とメッセージを表示する。サーバからの異常を受信した場合は「サーバとの接続が切れました。」とメッセージ表示し、ログイン画面を表示する。
【００６２】
（７）スナップショット機能
図１４において、
（ａ）フォルダ一覧表示
スナップショットを格納したフォルダの一覧を表示する。初期状態はルートフォルダとごみ箱のみ表示し、ルートフォルダに保存されたスナップショットが格納される。
（ｂ）フォルダ追加
右上の右から２番目にフォルダ追加ボタンを表示し、フォルダ追加ボタンがタップされた場合、名前を指定してフォルダを追加する。フォルダの追加は随時サーバのデータベースに反映される。
（ｃ）フォルダ編集
右上の右から３番目にフォルダ編集ボタンを表示し、フォルダ編集ボタンがタップされた場合、右上にフォルダ削除ボタンとフォルダ編集完了ボタンが表示され、フォルダの選択やフォルダ名の変更が可能となる。フォルダを選択してフォルダ削除ボタンがタップされた場合、選択されたフォルダが削除され、削除されたフォルダに格納されたスナップショットはルートフォルダに移動する。
【００６３】
図１５において、
（ｄ）スナップショット一覧表示
フォルダがタップされた場合、フォルダに格納されるスナップショット一覧を表示する。
（ｅ）スナップショット拡大表示
スナップショット一覧からスナップショットがタップされた場合、画像を拡大表示する。スナップショット画像をタップすることにより一覧表示に戻る。
（ｆ）スナップショット編集
右上の右から２番目にスナップショット編集ボタンを表示し、スナップショット編集ボタンがタップされた場合、右上にスナップショット削除ボタンとスナップショット移動ボタン、スナップショット編集完了ボタンが表示され、スナップショットの選択やタイトルの変更が可能となる。
【００６４】
スナップショットを選択してスナップショット削除ボタンがタップされた場合、選択されたスナップショットがごみ箱に移動する。ごみ箱内のスナップショットが削除された場合は完全にスナップショットが削除される。スナップショットを選択してスナップショット移動ボタンがタップされた場合、移動先フォルダ一覧が表示される。移動先フォルダを選択するとスナップショットが移動する。スナップショットの編集は随時サーバのデータベースに反映される。
（ｇ）メニューに戻る
左上にホームボタンを表示し、ホームボタンをタップすることにより、メニューに戻る。
（ｈ）ログアウト
右上の右から１番目にログアウトボタンを表示し、ログアウトボタンがタップされた場合、ログイン画面を表示する。
（ｉ）メッセージ表示
サーバとの通信が失敗した場合は「サーバと接続できません。」とメッセージを表示する。サーバからの異常を受信した場合は「サーバとの接続が切れました。」とメッセージ表示し、ログイン画面を表示する。
【００６５】
（８）文書管理機能
図１６において、
（ａ）フォルダ表示
選択したフォルダ内の閲覧文書（ＰＤＦファイル）を一覧表示する。パンくずリストを表示し、現在のフォルダ位置を明示してフォルダ移動を可能にする。
（ｂ）文書閲覧
一覧表示された閲覧文書をタップすることにより、ＰＤＦ文書の表示を行う。
（ｃ）更新
右上の右から２番目に更新ボタンを表示し、更新ボタンがタップされた場合、最新の情報を取得し表示する。
（ｄ）メニューに戻る
左上にホームボタンを表示し、ホームボタンをタップすることにより、メニューに戻る。
（ｅ）ログアウト
右上の右から１番目にログアウトボタンを表示し、ログアウトボタンがタップされた場合、ログイン画面を表示する。
（ｆ）メッセージ表示
サーバとの通信が失敗した場合は「サーバと接続できません。」とメッセージを表示する。サーバからの異常を受信した場合は「サーバとの接続が切れました。」とメッセージ表示し、ログイン画面を表示する。
【００６６】
（９）全文検索機能
図１７において、
（ａ）全文検索
「検索キーワード」入力欄と「検索開始」ボタンを表示する。検索キーワードにキーワードを入力し検索開始ボタンがタップされた場合、ゲートウェイ装置３００内のＰＤＦファイルについて全文検索を実施し、ファイル名、最終更新日時、ファイルの内容と共に検索結果を一覧表示する。
【００６７】
図１８において、
（ｂ）文書表示
一覧表示された文書をタップすることにより、ＰＤＦ文書の表示を行う。
（ｃ）メニューに戻る
左上にホームボタンを表示し、ホームボタンをタップすることにより、メニューに戻る。
（ｄ）ログアウト
右上の右から１番目にログアウトボタンを表示し、ログアウトボタンがタップされた場合、ログイン画面を表示する。
（ｅ）メッセージ表示
サーバとの通信が失敗した場合は「サーバと接続できません。」とメッセージを表示する。サーバからの異常を受信した場合は「サーバとの接続が切れました。」とメッセージ表示し、ログイン画面を表示する。
【００６８】
（１０）アラーム登録機能
図１９において、
（ａ）アラーム登録
・登録されているアラーム情報を表示する。  
【００６９】
・右上の右から２番目に保存ボタンを表示する。  
【００７０】
・アラーム時間、連日設定、アラーム音、再生回数、有効／無効を設定し、保存ボタンをタップしてアラーム情報を登録する。  
【００７１】
・選択したアラーム音は再生アイコンをタップして試聴することができる。  
【００７２】
・連日設定が「１日」の場合は１度アラームが発生したら無効になり、「連日」の場合はアラームが発生しても無効にならず、毎日アラームが発生する。  
【００７３】
・再生回数はアラーム発生時にアラーム音を再生する回数（１〜１０）を指定する。  
【００７４】
・アラームは最大例えば２０件登録を可能とする。
【００７５】
・同じ時間に複数アラームが登録された場合は、同時に複数のアラーム音が再生される。
【００７６】
（１１）ユーザ管理機能
図２０において、
（ａ）ユーザ追加
右上の右から２番目に更新ボタンを表示する。ユーザ一覧の一番下の行にユーザ情報を追加し、更新ボタンをタップしてユーザを追加する。ユーザＩＤは例えば２０文字以内とし、パスワードは例えば６文字以上２０文字以内とし、ユーザ名は例えば２０文字以内とする。権限は一般と管理者から選択する。
（ｂ）ユーザ情報変更
右上の右から２番目に更新ボタンを表示し、更新ボタンをタップしてユーザ情報を変更する。ユーザＩＤは変更不可とし、パスワードは例えば６文字以上２０文字以内とし、ユーザ名は例えば２０文字以内とする。権限は一般と管理者から選択する。
（ｃ）ユーザ削除
右上の右から３番目に削除ボタンを表示する。削除したいユーザの削除チェックボックスをＯＮし、削除ボタンをタップしてユーザを削除する。
（ｄ）メッセージ表示
サーバとの通信が失敗した場合は「サーバと接続できません。」とメッセージを表示する。サーバからの異常を受信した場合は「サーバとの接続が切れました。」とメッセージ表示し、ログイン画面を表示する。
【００７７】
以上のように本実施形態例によれば、データ収集機能３０４が、収集した各データを一元管理し、外部から閲覧できるデータに加工し、コンテンツ管理機能３０５が、データ収集され一元管理された監視制御システムに関する各データに基づいて、スマートデバイス４００に表示するための情報を構築しているので、スマートデバイス４００を用いて外部から容易に監視制御システムの情報を閲覧することができる。
【００７８】
この際、ゲートウェイ装置３００を設けているため、スマートデバイス４００から直接監視制御システムの機器やデータにアクセスしないので、既存のシステムの信頼性やリアルタイム性を損なうことがない。
【００７９】
尚、本発明は電力指令システムに適用するに限らず、他の監視制御システムに適用することもでき、その場合も前記と同様の効果が得られる。
【符号の説明】
【００８０】
１００…情報系サーバ
１１０…事故復旧処理装置
１２１〜１２４、２２１〜２２４…スイッチングハブ
２０１、２０２…作業処理装置
３００…ゲートウェイ装置
３０４…データ収集機能
３０５…コンテンツ管理機能
４００…スマートデバイス
５００…アクセスポイント
６０１〜６０３…ファイアウォール
【図１】
2015095884.tif 000003
【図２】
2015095884.tif 000004
【図３】
2015095884.tif 000005
【図４】
2015095884.tif 000006
【図５】
2015095884.tif 000007
【図６】
2015095884.tif 000008
【図７】
2015095884.tif 000009
【図８】
2015095884.tif 000010
【図９】
2015095884.tif 000011
【図１０】
2015095884.tif 000012
【図１１】
2015095884.tif 000013
【図１２】
2015095884.tif 000014
【図１３】
2015095884.tif 000015
【図１４】
2015095884.tif 000016
【図１５】
2015095884.tif 000017
【図１６】
2015095884.tif 000018
【図１７】
2015095884.tif 000019
【図１８】
2015095884.tif 000020
【図１９】
2015095884.tif 000021
【図２０】
2015095884.tif 000022